(57)【要約】      （修正有）【課題】ラインヘッド備えた記録装置を使用する場合に、画像スジの発生が抑制され、高品位な画像を記録することが可能なインクジェット記録方法を提供する。【解決手段】ラインヘッドＨ１０００を備えたインクジェット記録装置を使用して記録媒体に画像を記録する。ラインヘッドＨ１０００は、水性インクを吐出する複数のノズルが所定方向に配列されて構成されたノズル列をそれぞれ有する複数の記録素子基板Ｈ１１００を備えるとともに、複数の記録素子基板Ｈ１１００は、所定方向に配列されており、ノズル列の端部を構成する端部ノズルから吐出される水性インクの平均温度Ｔｅ（℃）と、ノズル列の中央部を構成する中央部ノズルから吐出される水性インクの平均温度Ｔｃ（℃）とが、Ｔｅ＞Ｔｃの関係を満たす。【選択図】図３
2017217906.tif 000002
【特許請求の範囲】
【請求項１】
ラインヘッドを備えたインクジェット記録装置を使用して記録媒体に画像を記録するインクジェット記録方法であって、
前記ラインヘッドは、水性インクを吐出する複数のノズルが所定方向に配列されて構成されたノズル列をそれぞれ有する複数の記録素子基板を備えるとともに、複数の前記記録素子基板は、前記所定方向に配列されており、
前記ノズル列の端部を構成する端部ノズルから吐出される水性インクの平均温度Ｔｅ（℃）と、前記ノズル列の中央部を構成する中央部ノズルから吐出される水性インクの平均温度Ｔｃ（℃）とが、Ｔｅ＞Ｔｃの関係を満たすことを特徴とするインクジェット記録方法。
【請求項２】
前記端部ノズルから吐出される水性インクの平均温度Ｔｅ（℃）と、前記中央部ノズルから吐出される水性インクの平均温度Ｔｃ（℃）とが、Ｔｅ≧Ｔｃ＋１０の関係を満たす請求項１に記載のインクジェット記録方法。
【請求項３】
複数の前記記録素子基板は、隣接する前記記録素子基板の前記端部ノズル同士が、前記所定方向と交差する方向において重複する重複部を構成するように、前記所定方向に配列されており、
前記重複部を構成する重複部ノズルから吐出される水性インクの平均温度Ｔｊ（℃）と、前記中央部ノズルから吐出される水性インクの平均温度Ｔｃ（℃）とが、Ｔｊ＞Ｔｃの関係を満たす請求項１に記載のインクジェット記録方法。
【請求項４】
前記重複部ノズルから吐出される水性インクの平均温度Ｔｊ（℃）と、前記中央部ノズルから吐出される水性インクの平均温度Ｔｃ（℃）とが、Ｔｊ≧Ｔｃ＋１０の関係を満たす請求項３に記載のインクジェット記録方法。
【請求項５】
前記水性インクの２５℃における表面張力が、４５ｍＮ／ｍ以下である請求項１乃至４のいずれか１項に記載のインクジェット記録方法。
【請求項６】
請求項１乃至５のいずれか１項に記載のインクジェット記録方法に用いる、ラインヘッドを備えたインクジェット記録装置であって、
前記ラインヘッドは、水性インクを吐出する複数のノズルが所定方向に配列されて構成されたノズル列をそれぞれ有する複数の記録素子基板を備えるとともに、複数の前記記録素子基板は、前記所定方向に配列されており、
前記ノズル列の端部を構成する端部ノズルから吐出される水性インクの平均温度Ｔｅ（℃）と、前記ノズル列の中央部を構成する中央部ノズルから吐出される水性インクの平均温度Ｔｃ（℃）とが、Ｔｅ＞Ｔｃの関係を満たすように、
前記端部ノズルから吐出される水性インクの平均温度Ｔｅ（℃）と、前記中央部ノズルから吐出される水性インクの平均温度Ｔｃ（℃）との関係を制御する手段をさらに備えることを特徴とするインクジェット記録装置。
【発明の詳細な説明】
【技術分野】
【０００１】
本発明は、インクジェット記録方法、及びそれに用いるインクジェット記録装置に関する。
【背景技術】
【０００２】
近年、インクジェット記録装置は、低電力、低コスト、及び省スペースという利点を活かし、オフィスなどでの利用が増加しつつある。インクジェット記録装置に採用されている記録ヘッドの走査方式として、シリアル方式を挙げることができる。シリアル方式では、紙送り方向（主走査方向）に対して直交する方向（副走査方向）に記録ヘッドを繰り返し移動させて画像を記録する。シリアル方式の記録ヘッドは比較的小さいため、記録装置本体を小型化することができる。
【０００３】
近年では、記録速度（スループット）のさらなる向上のため、吐出口の配列幅を記録媒体の最大幅相当まで延ばした記録ヘッド、すなわちラインヘッドを採用した記録装置が開発されている（特許文献１）。シリアル方式とは異なり、ラインヘッド方式では記録ヘッドの移動は行わずに、用紙の搬送のみが行われるため、記録速度の向上に有利である。
【０００４】
しかし、ラインヘッド方式の場合、隣接して配置された記録素子基板（チップ）同士の境目部分におけるノズル列の不連続な箇所で記録された画像に「スジ」が発生するといった問題が生ずることがある。このような問題を解消すべく、例えば、チップの境界にヒータを設け、チップ間の温度差を解消した記録ヘッドが提案されている（特許文献２）。また、チップ列のつなぎ部分におけるチップの温度低下を低減して、つなぎ部分で記録された画像の濃度変化を抑制しうるインクジェット記録装置が提案されている（特許文献３）。
【０００５】
さらに、印刷方向の下流側のノズル列から吐出させる液滴を加温するなどして吐出速度を増大させ、印刷画質を向上させうるインクジェット印刷装置が提案されている（特許文献４）。また、シリアル方式の記録ヘッドの走査方向において、先頭側に配置された記録ヘッドから吐出されるインク液滴の吐出速度を、後方側に配置された記録ヘッドから吐出されるインク液滴の吐出速度より速くした記録装置が提案されている（特許文献５）。
【先行技術文献】
【特許文献】
【０００６】
【特許文献１】特開２０１０−１４３１４７号公報
【特許文献２】特開２００８−１９４９４０号公報
【特許文献３】特開２００８−０００９７５号公報
【特許文献４】特開２０１３−２２４００６号公報
【特許文献５】特開２００５−１４４７２４号公報
【発明の概要】
【発明が解決しようとする課題】
【０００７】
しかし、特許文献１〜３で提案された記録ヘッドなどを備えた記録装置を使用した場合であっても、画像スジの発生を十分に抑制することはできないことがわかった。また、特許文献４で提案されたインクジェット印刷装置を使用しても、画像スジの発生を十分に抑制することはできず、むしろ画像スジが目立つようになる場合があることがわかった。さらに、特許文献５で提案されたシリアル方式の記録ヘッドをラインヘッド方式に適用したインクジェット記録装置を用いた場合であっても、画像スジの発生を十分に抑制することはできず、むしろ画像スジが発生しやすくなる場合があることがわかった。
【０００８】
したがって、本発明の目的は、ラインヘッドを備えた記録装置を使用する場合に、画像スジの発生が抑制され、高品位な画像を記録することが可能なインクジェット記録方法を提供することにある。また、本発明の別の目的は、上記インクジェット記録方法に用いるインクジェット記録装置を提供することにある。
【課題を解決するための手段】
【０００９】
上記の目的は以下の本発明によって達成される。すなわち、本発明によれば、ラインヘッドを備えたインクジェット記録装置を使用して記録媒体に画像を記録するインクジェット記録方法であって、前記ラインヘッドは、水性インクを吐出する複数のノズルが所定方向に配列されて構成されたノズル列をそれぞれ有する複数の記録素子基板を備えるとともに、複数の前記記録素子基板は、前記所定方向に配列されており、前記ノズル列の端部を構成する端部ノズルから吐出される水性インクの平均温度Ｔｅ（℃）と、前記ノズル列の中央部を構成する中央部ノズルから吐出される水性インクの平均温度Ｔｃ（℃）とが、Ｔｅ＞Ｔｃの関係を満たすことを特徴とするインクジェット記録方法が提供される。
【発明の効果】
【００１０】
本発明によれば、ラインヘッドを備えた記録装置を使用する場合に、画像スジの発生が抑制され、高品位な画像を記録することが可能なインクジェット記録方法を提供することができる。また、本発明によれば、上記インクジェット記録方法に用いるインクジェット記録装置を提供することができる。
【図面の簡単な説明】
【００１１】
【図１】ラインヘッドにより画像を記録するイメージ図である。
【図２】インクジェット記録装置の一例を示す模式図である。
【図３】ラインヘッドの一例を模式的に示す図であり、（ａ）は斜視図、（ｂ）は分解斜視図である。
【図４】回復機構の一例を示す図であり、（ａ）は斜視図、（ｂ）は模式図である。
【図５】インクをラインヘッドに供給する供給機構の一例を示す模式図である。
【図６】ラインヘッドにおける記録素子基板の配列態様の一例を示す模式図である。
【図７】ラインヘッドにおける記録素子基板の配列態様の他の例を示す模式図である。
【図８】ラインヘッド１を構成する記録素子基板のノズルの配列態様を示す模式図である。
【図９】ラインヘッド３を構成する記録素子基板のノズルの配列態様を示す模式図である。
【発明を実施するための形態】
【００１２】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。また、物性値は、特に断りのない限り、常温（２５℃）における値とする。
【００１３】
＜インクジェット記録方法＞
本発明のインクジェット記録方法は、ラインヘッドを備えたインクジェット記録装置を使用して記録媒体に画像を記録する方法である。このラインヘッドは、インクを吐出する複数のノズルが所定方向に配列されて構成されたノズル列をそれぞれ有する複数の記録素子基板を備えるとともに、複数の記録素子基板は、所定方向に配列されている。そして、ノズル列の端部を構成する端部ノズルから吐出されるインクの平均温度Ｔｅ（℃）と、ノズル列の中央部を構成する中央部ノズルから吐出されるインクの平均温度Ｔｃ（℃）とが、Ｔｅ＞Ｔｃの関係を満たすことを特徴とする。
【００１４】
前述の通り、ラインヘッドを備えたインクジェット記録装置を使用して記録媒体に画像を記録すると、記録素子基板同士の境目部分におけるノズル列の不連続な箇所（以下、「つなぎ部」とも記す）で記録された画像に「スジ」（画像スジ）が発生しやすい。また、このような画像スジは、光沢紙などのコート層を有する記録媒体に画像を記録した場合に特に発生しやすい。本発明者らは、このような画像スジが発生する原因について検討したところ、以下に示す（１）及び（２）が見出された。
原因（１）：ノズル列の端部を構成する端部ノズルから吐出されたインクの付与位置が気流によってずれてしまう。
原因（２）：隣接する記録素子基板の端部ノズル同士が、ノズルの配列方向と交差する方向において重複する重複部を構成するように、ノズルの配列方向と同じ方向に複数の記録素子基板が配列されている場合。この場合には、重複部を構成する重複部ノズルから吐出されて記録媒体に付与されたインクのドットが大きくならない。
【００１５】
まず、原因（１）については以下のように考えられる。ラインヘッドを備えたインクジェット記録装置を用いて画像を記録する際、ノズルから吐出されたインク滴自身による自己気流と、記録媒体の搬送による流入気流とが発生する。ノズル列の中央部を構成する中央部ノズルから吐出されたインクは、両隣のノズルから吐出されたインクによる気流の影響を均等に受ける。一方、ノズル列の端部を構成する端部ノズルから吐出されたインクは、一方の隣にノズルが存在しないために気流がなく、影響を受ける気流に差が生じている。すなわち、端部ノズルから吐出されたインク滴は、中央部ノズルから吐出されたインクと異なる軌道により記録媒体に付与されるため、画像スジが発生することになる。影響を受ける気流の差は、インクの吐出速度が速いほど大きくなる。このため、特許文献４及び５で提案されたようにインクの吐出速度を単に速くしてしまうと、端部ノズルから吐出されたインクの付与位置のズレは、むしろ増大する傾向にある。
【００１６】
また、記録媒体の搬送により発生した流入気流は、中央部ノズルから吐出されたインクにより生じた自己気流に壁のように遮られ、端部ノズルの方へと向かう。このため、流入気流の影響も端部ノズルから吐出されたインクに選択的に及んでしまい、画像スジが発生することになる。特許文献５で提案されたように、記録媒体の搬送方向の上流側のノズルから吐出されるインクの速度を速くすると自己気流が強くなるため、端部ノズルから吐出されたインクの付与位置のズレは、むしろ増大してしまう。
【００１７】
また、原因（２）については以下のように考えられる。これまでにも、ラインヘッドを備えたインクジェット記録装置を用いた場合に生ずる画像スジを改善する手法が検討されてきた。例えば、隣接する記録素子基板の端部ノズル同士が、ノズルの配列方向と交差する方向において重複する重複部を構成するように、ノズルの配列方向と同じ方向に複数の記録素子基板を配列することが知られている。しかし、重複部を構成するように複数の記録素子基板を配列すると、重複部ノズルに対応する箇所に画像スジが発生しやすくなる。
【００１８】
検討の結果、本発明者らは、重複部ノズルに対応する箇所に画像スジが発生する原因について以下のような仮説を立てた。画像を記録する際、重複部ノズル以外のノズルから吐出されたインクの液滴は記録媒体上で繋がり、インクドットが大きくなる。これに対して、重複部ノズルの場合、インクが記録媒体に付与されるタイミングが、隣接するノズル列同士で僅かに異なる。このため、記録媒体上でインクの液滴が繋がりにくくなり、インクドットが大きくならない。したがって、重複部ノズルに対応する箇所の画像の光学濃度は、重複部ノズル以外のノズルに対応する箇所の画像の光学濃度よりも薄くなってしまい、画像スジが生ずることになると考えられる。
【００１９】
原因（１）及び（２）の双方について検討した結果、本発明者らは以下の構成を採用することによって、画像スジの発生を抑制しうることを見出した。すなわち、ノズル列の端部を構成する端部ノズルから吐出されるインクの平均温度Ｔｅ（℃）を、ノズル列の中央部を構成する中央部ノズルから吐出されるインクの平均温度Ｔｃ（℃）よりも高くすることで、画像スジの発生を抑制することが可能となった。上記の要件を満たすことによって、画像スジの発生を抑制することが可能となる理由について、本発明者らは以下のように推測している。
【００２０】
まず、原因（１）による画像スジの発生が抑制される理由は以下のように考えられる。端部ノズルから吐出されるインクの平均温度を、中央部ノズルから吐出されるインクの平均温度より高くすることで、発生する自己気流を強めることなく、端部ノズルから吐出されるインクの吐出速度が速くなる。その結果、端部ノズルから吐出されるインクが気流の影響を受けにくくなると考えられる。ここで、インクの温度が高くなるほど、インクの表面張力及び粘度が低下することは一般的に知られている。すなわち、端部ノズルから吐出されたインクの表面張力及び粘度が低下したことで、記録媒体上で滲みやすくなっているものと考えられる。また、インクが本来付与されるべき箇所に付与されないため、画像スジが生ずる。このため、端部ノズルから吐出されたインクが滲みやすくなったことで、本来付与されるべき箇所にまでインクが滲んでいき、画像スジの発生が抑制されると考えられる。
【００２１】
次に、原因（２）による画像スジの発生が抑制される理由は以下のように考えられる。端部ノズルから吐出されるインクの平均温度を、中央部ノズルから吐出されるインクの平均温度より高くすることで、重複部ノズルから吐出されるインクの表面張力及び粘度が低下する。これにより、重複部ノズルから吐出されるインクが記録媒体上で滲みやすくなり、重複部ノズルに対応する箇所の画像の光学濃度を重複部ノズル以外のノズルに対応する箇所の画像の光学濃度に近づけることができるので、画像スジの発生を抑制することができる。
【００２２】
ラインヘッドを構成する記録素子基板には、通常、１００〜２，０００個のノズルが直線的に配置されてノズル列を構成する。ここでは便宜上、ノズル列を構成するノズル数の合計を「１」と仮定して説明する。この場合、ノズル列の中心を含め、好ましくは「０．５（中心から±０．２５）」の範囲内、さらに好ましくは「０．２５（中心から±０．１２５）」の範囲内におけるノズルを中央部ノズルとする。そして、この中央部ノズルから吐出されるインクの平均温度をＴｃ（℃）とする。また、ノズル列を構成するノズルのうち、最端部から中央に向かって、好ましくは１５番目までの範囲内にあるノズルを端部ノズルとし、この端部ノズルから吐出されるインクの平均温度をＴｅ（℃）とする。さらに、端部ノズルから吐出されるインクの平均温度Ｔｅ（℃）と、中央部ノズルから吐出されるインクの平均温度Ｔｃ（℃）とが、Ｔｅ≧Ｔｃ＋１０の関係を満たすことが好ましい。また、中央部ノズルから吐出されるインクの平均温度Ｔｃ（℃）は、１５℃以上６０℃以下に制御されることが好ましい。一方、端部ノズルから吐出されるインクの平均温度Ｔｅ（℃）は、２５℃以上７０℃以下に制御されることが好ましい。
【００２３】
（インクジェット記録装置）
本発明のインクジェット記録方法に用いるインクジェット記録装置は、ラインヘッドを備えたインクジェット記録装置である。ラインヘッドは、水性インクを吐出する複数のノズルが所定方向に配列されて構成されたノズル列をそれぞれ有する複数の記録素子基板を備えるとともに、複数の前記記録素子基板は、所定方向に配列されている。そして、インクジェット記録装置は、Ｔｅ＞Ｔｃの関係を満たすように、端部ノズルから吐出される水性インクの平均温度Ｔｅ（℃）と、中央部ノズルから吐出される水性インクの平均温度Ｔｃ（℃）との関係を制御する手段を備える。以下、図面を参照しつつ、本発明のインクジェット記録装置の詳細について説明する。
【００２４】
図１は、ラインヘッドにより画像を記録するイメージ図である。また、図２は、インクジェット記録装置の一例を示す模式図である。図２に示す記録装置Ｍ４０００では、記録装置本体にラインヘッド（記録ヘッドＨ１０００）が固定されており、記録媒体４７を矢印４５の方向に搬送して記録する方式が採用されている。記録装置Ｍ４０００は、例えば、イエローインク用の記録ヘッドＨ１０００Ｙ、マゼンタインク用の記録ヘッドＨ１０００Ｍ、シアンインク用の記録ヘッドＨ１０００Ｃ、及びブラックインク用の記録ヘッドＨ１０００Ｂｋ（図１）を備える。
【００２５】
図２に示す記録ヘッドＨ１０００Ｙ〜Ｈ１０００Ｒは、記録装置Ｍ４０００に載置された記録ヘッドホルダ４２によって固定されている。図１及び２では、イエロー、マゼンタ、シアン、及びブラックの各色、さらには反応液を別々の記録ヘッドから吐出する構成を示している。勿論、一つの記録素子基板に設けられた複数のノズル列のそれぞれから、複数のインク、さらには反応液を吐出して画像を記録する構成であってもよい。
【００２６】
インクジェット記録装置は、インク中の色材を凝集させる成分を含有する反応液を記録媒体に付与する手段を備えていてもよい。反応液を記録媒体に付与する手段としては、塗布方式によって反応液を記録媒体に塗布する手段や、吐出方式で反応液を記録媒体に付与する手段などを挙げることができる。塗布方式によって反応液を記録媒体に塗布する手段では、例えば、従来公知のローラなどの塗布部材を用いて反応液を記録媒体に塗布する。また、吐出方式で反応液を記録媒体に付与する手段では、例えば、図２に示すような、反応液用のラインヘッド（記録ヘッドＨ１０００Ｒ）などの吐出デバイスを用いて反応液を記録媒体に付与する。図１に示すように、４色のインクに対応して４つの記録ヘッドを設ける場合、反応液を記録媒体に付与する手段を別途設けることができる。本発明では、反応液を塗布などの方式で記録媒体に付与した後に、記録ヘッドからインクを吐出して記録媒体に付与することが好ましい。
【００２７】
給紙カセット４６は、その中に普通紙などの記録媒体４７が収納されており、装置本体に着脱自在に装着されている。ピックアップローラ４８は、給紙カセット４６内に収納された記録媒体４７のうち、最上面の１枚を送り出す部材である。搬送ローラ４９は、ピックアップローラ４８より送り出された記録媒体４７を搬送路５０へと搬送する部材である。また、搬送路５０の出口側に配設された搬送ローラ５１は、搬送ベルト４４に載せた状態で、記録媒体４７を記録ヘッドＨ１０００の方向へと搬送する部材である。
【００２８】
図３は、ラインヘッドの一例を模式的に示す図であり、（ａ）は斜視図、（ｂ）は分解斜視図である。図３に示すように、ラインヘッド（記録ヘッドＨ１０００）は、記録素子ユニットＨ１４００と、記録素子ユニットＨ１４００にインクを供給するための液体供給ユニットであるインク供給ユニットＨ１５００とを備える。インク供給ユニットＨ１５００は、インク室（図示せず）に記録装置などの外部からインクを供給するために外部と接続する接続口Ｈ１７１０が形成された接続部Ｈ１７００を備える。また、記録素子ユニットＨ１４００は、記録素子基板Ｈ１１００、支持基板Ｈ１２００、及び配線部材Ｈ１３００で構成されている。
【００２９】
支持基板Ｈ１２００は、記録素子基板Ｈ１１００及び配線部材Ｈ１３００を保持して固定する部材であり、インク供給ユニットＨ１５００から供給されるインクを記録素子基板Ｈ１１００に供給するインク供給孔Ｈ１２１０が形成されている。複数の記録素子基板Ｈ１１００は、支持基板Ｈ１２００の主面に予め定められた位置精度で配置され、固定されている。また、複数の記録素子基板Ｈ１１００は、隣接する記録素子基板Ｈ１１００間でノズル列の方向に沿ってノズルが連続して配置されるように、支持基板Ｈ１２００上に千鳥状に配置されている。このように、隣接する記録素子基板Ｈ１１００のつなぎ目のノズルを重複させて記録素子基板Ｈ１１００を配置することによって記録素子基板の位置ずれなどによる画像への影響を補正可能とし、記録幅が長尺なフルラインタイプの記録ヘッドを実現している。
【００３０】
配線部材Ｈ１３００は、記録素子基板Ｈ１１００に設けられた記録素子を駆動させる電気的な信号や電力を、記録ヘッドＨ１０００の外部（記録装置）から記録素子基板Ｈ１１００へと伝達するため、記録素子基板Ｈ１１００と電気的に接続されている。配線部材Ｈ１３００としては、フレキシブル配線基板などの可撓性を有するプリント配線基板が用いられる。そして、可撓性を有する配線部材Ｈ１３００は、記録素子基板Ｈ１１００と記録装置との電気的接続が容易に行えるよう折り曲げられ、インク供給ユニットＨ１５００に固定されている。
【００３１】
インクを吐出する方式としては、インクに力学的エネルギーを付与する方式や、インクに熱エネルギーを付与する方式などを挙げることができる。本発明においては、いずれの方式でインクを吐出するラインヘッドであっても好適に採用することができる。
【００３２】
図６は、ラインヘッドにおける記録素子基板の配列態様の一例を示す模式図である。図６に示すように、本発明のインクジェット記録装置を構成するラインヘッドは、インクを吐出する複数のノズルが所定方向に配列されて構成されたノズル列１００をそれぞれ有する複数の記録素子基板Ｈ１１００を備える。複数の記録素子基板Ｈ１１００は所定方向（ノズルの配列方向と同じ方向）に配列され、支持基板Ｈ１２００上に保持されている。記録素子基板の配列態様は特に限定されない。記録素子基板の配列態様としては、例えば、図６に示すような千鳥状に配列されたものの他、図７に示すような、ノズル列１１０をそれぞれ有する複数の記録素子基板Ｈ１１１０がインライン状に配列されたものなどを挙げることができる。
【００３３】
本発明においては、ノズル列の端部を構成する端部ノズルから吐出されるインクの平均温度Ｔｅ（℃）と、ノズル列の中央部を構成する中央部ノズルから吐出されるインクの平均温度Ｔｃ（℃）とが、Ｔｅ＞Ｔｃの関係を満たすようにインクを吐出する。このため、本発明のインクジェット記録装置は、上記の関係を満たすように、インクの平均温度Ｔｅ（℃）と、インクの平均温度Ｔｃ（℃）との関係を制御する手段（インクの温度を制御する手段）を備える。
【００３４】
ラインヘッド内のインクの温度は、例えば、ラインヘッドの温度を制御する手段によって制御することができる。ラインヘッドの温度を制御する手段としては、例えば、ラインヘッドに接触するように配設されるインク温度調整用のヒータや、インク吐出用のヒータなどを挙げることができる。インク吐出用のヒータによってインクの温度を制御（加熱又は加温）するには、例えば、インクが吐出しない程度の電流を繰り返し通電すればよい。インクの温度は、例えば、ラインヘッドに設けた温度センサで読み取ることができる。ラインヘッド及びインクの温度は４０〜７０℃に調整されることが好ましい。
【００３５】
本発明のインクジェット記録方法に用いるインクジェット記録装置は、さらに、ラインヘッドの吐出口におけるインクの固着や、吐出口面のヌレの状態を回復するための回復機構を備えていてもよい。図４は、回復機構の一例を示す図であり、（ａ）は斜視図、（ｂ）は模式図である。図４に示すように、ワイパＷ１００１はクリップ部材Ｗ１００２で保持されており、クリップ部材Ｗ１００２は連結部材Ｗ１００３で保持されている。また、クリップ部材Ｗ１００２は、スライドレールＷ１００６を移動可能なワイプベースＷ１０１１に取り付けられている。ワイプベースＷ１０１１は、連結部材Ｗ１００３を通じ、タイミングベルトＷ１００７の駆動によりスライドレールＷ１００６上を移動することができる。タイミングベルトＷ１００７は、従動プーリＷ１００４及び駆動プーリＷ１００５によって支持されており、駆動プーリＷ１００５には、タイミングベルトＷ１００７を駆動する駆動モータＷ１０１０の軸が連結されている。また、回復動作時のワイパＷ１００１の位置を制御するために、スライドレールＷ１００６の両端部にはフォトセンサＷ１００８、Ｗ１００９が設けられている。ワイピングによる回復動作時には、ワイパＷ１００１がスライドレールＷ１００６によってスライドして移動することにより、ワイパＷ１００１が撓みながら記録ヘッドＨ１０００の吐出口面Ｈ１００１をワイピングする。
【００３６】
本発明の液体吐出方法に用いるインクジェット記録装置は、さらに、インクなどの液体をラインヘッドに供給する供給機構を備えていてもよい。図５は、インクをラインヘッドに供給する供給機構の一例を示す模式図である。図５に示すように、ポンプＰ１によって、サブタンクＴ２からラインヘッドＨ１０００へとインクが供給される。ラインヘッドＨ１０００から溢れたインクはサブタンクＴ２へと戻される。バルブＶ１は、回復動作時にラインヘッド内部のインク液室を加圧又は圧力を開放する切り替えのために設けられている。加圧回復時はバルブＶ１を閉じ、ポンプＰ１で加圧することによってインク供給経路及びインク流路内の泡の一部が除去される。サブタンクＴ２内のインク液面は、ラインヘッドＨ１０００の吐出口面との水頭差を一定の範囲で保持するように構成されており、ラインヘッドＨ１０００の吐出口面の負圧を適正な範囲で維持する。サブタンクＴ２内のインクが不足した場合は、ポンプＰ２により、メインタンクＴ１からサブタンクＴ２へとインクが送られる。各タンク、それらに収容されるインクの温度は、インクジェット記録装置が設置される環境温度に依存するが、例えば、１５〜４５℃の範囲であることが好ましい。
【００３７】
本発明のインクジェット記録方法により画像を記録する対象の記録媒体としては、どのようなものを用いてもよい。なかでも、普通紙や非コート紙などのコート層を有しない記録媒体、及び、光沢紙やアート紙などのコート層を有する記録媒体のような、浸透性を有する紙を用いることが好ましい。特に、光沢紙やアート紙などの、コート層を有する記録媒体を用いることが好ましい。
【００３８】
（インク）
以下、本発明のインクジェット記録方法に用いるインクを構成する各成分やインクの物性などについて詳細に説明する。本発明で用いるインクは、いわゆる「硬化型インク」である必要はない。したがって、本発明で用いるインクは、外部エネルギーの付加により重合しうる重合性モノマーなどの化合物を含有しなくてもよい。
【００３９】
［色材］
本発明のインクジェット記録方法に用いるインクは、色材を含有することが好ましい。色材としては、染料及び顔料のいずれをも用いることができる。染料としては、アニオン性基を有するものなどを挙げることができる。染料としては、フタロシアニン、アゾ、キサンテン、アントラピリドンなどの骨格を有する化合物を用いることができる。また、顔料としては、無機顔料及び有機顔料を挙げることができる。顔料としては、分散剤として樹脂を用いる樹脂分散タイプの顔料、及び顔料の粒子表面に親水性基を導入した自己分散タイプの顔料（自己分散顔料）などを用いることができる。本発明のインクジェット記録方法では、色材として顔料を用いることが好ましい。この場合、樹脂分散剤を利用しない分散方式を利用することが好ましく、自己分散顔料を用いることがさらに好ましい。
【００４０】
樹脂分散タイプの顔料としては、高分子分散剤を使用した樹脂分散型顔料、顔料の粒子の表面を樹脂で被覆したマイクロカプセル型顔料、及び顔料の粒子の表面に高分子を含む有機基が化学的に結合した樹脂結合型顔料などがある。分散方法の異なる顔料を併用することもできる。樹脂としては、（メタ）アクリル酸などのアニオン性基を有するユニットと、芳香環や脂肪族基を有するモノマーなどのアニオン性基を有しないユニットと、少なくとも有する、アクリル樹脂を用いることが好ましい。
【００４１】
自己分散タイプの顔料としては、顔料の粒子表面にアニオン性基が直接又は他の原子団を介して結合したものを挙げることができる。アニオン性基としては、カルボン酸基、スルホン酸基、リン酸基、及びホスホン酸基などを挙げることができる。アニオン性基のカウンターイオンとしては、水素原子、アルカリ金属、アンモニウム、及び有機アンモニウムなどのカチオンを挙げることができる。また、他の原子団は、顔料の粒子表面とイオン性基とのスペーサの機能を持つものであり、分子量が１，０００以下であることが好ましい。他の原子団としては、炭素数１乃至６程度のアルキレン基；フェニレン基、ナフチレン基などのアリーレン基；エステル基；イミノ基；アミド基；スルホニル基；エーテル基などを挙げることができる。また、これらの基を組み合わせた基であってもよい。
【００４２】
インク中の色材の含有量（質量％）は、インク全質量を基準として、０．１０質量％以上１５．００質量％以下であることが好ましく、１．００質量％以上１０．００質量％以下であることがさらに好ましい。なかでも、２．００質量％以上１０．００質量％以下であることが特に好ましい。色材の含有量が２．００質量％未満であると、記録される画像の光学濃度が低下する場合がある。一方、色材の含有量が１０．００質量％超であると、吐出安定性が低下する場合がある。
【００４３】
［水性媒体］
インクは、水性媒体として水を含有する。水としては、脱イオン水（イオン交換水）を用いることが好ましい。インク中の水の含有量（質量％）は、インク全質量を基準として、５０．００質量％以上９５．００質量％以下であることが好ましく、６０．００質量％以上９５．００質量％以下であることがさらに好ましい。
【００４４】
インクには、水性媒体として、さらに水溶性有機溶剤を含有させることができる。水溶性有機溶剤としては、インクジェット記録方法に適用されるインクに一般的に用いられているものをいずれも用いることができる。水溶性有機溶剤の具体例としては、炭素数１乃至４のアルキルアルコール類、アミド類、ケトン又はケトアルコール類、エーテル類、ポリアルキレングリコール類、グリコール類、アルキレン基の炭素原子数が２乃至６のアルキレングリコール類、アルキルエーテルアセテート類、多価アルコールのアルキルエーテル類、含窒素化合物類などを挙げることができる。これらの水溶性有機溶剤は、１種単独で又は２種以上を組み合わせて用いることができる。インク中の水溶性有機溶剤の含有量（質量％）は、インク全質量を基準として、３．００質量％以上５０．００質量％以下であることが好ましく、５．００質量％以上３０．００質量％以下であることがさらに好ましい。
【００４５】
通常「水溶性有機溶剤」とは液体を意味するが、本発明においては、２５℃（常温）で固体であるものも、水に溶解してインクを構成する液媒体となるため、便宜上、水溶性有機溶剤に含めることとする。インクに汎用であり、２５℃で固体である水溶性有機溶剤の具体例としては、１，６−ヘキサンジオール、トリメチロールプロパン、エチレン尿素、尿素、数平均分子量１，０００のポリエチレングリコールなどを挙げることができる。
【００４６】
［界面活性剤］
インクには、界面活性剤を含有させることができる。インク中の界面活性剤の含有量（質量％）は、インク全質量を基準として、０．１０質量％以上５．００質量％以下であることが好ましく、０．２５質量％以上３．００質量％以下であることがさらに好ましい。界面活性剤の具体例としては、アセチレングリコールのエチレンオキサイド付加物、ポリエチレングリコールアルキルエーテル、ポリオキシエチレンポリオキシプロピレンブロックポリマーなどの炭化水素系の界面活性剤；パーフルオロアルキルエチレンオキサイド付加物などのフッ素系の界面活性剤；ポリエーテル変性シロキサン化合物などのシリコーン系界面活性剤などを挙げることができる。なかでも、炭化水素系の界面活性剤を用いることが好ましい。これらの界面活性剤は、１種単独で又は２種以上を組み合わせて用いることができる。
【００４７】
［その他の成分］
インクには、上記成分の他に、必要に応じて所望の物性値を有するインクとするために、樹脂、ｐＨ調整剤、防錆剤、防腐剤、防黴剤、酸化防止剤、及び還元防止剤などの種々の添加剤を含有させてもよい。
【００４８】
［インクの物性］
インクの２５℃における粘度は、１．０ｍＰａ・ｓ以上５．０ｍＰａ・ｓ以下であることが好ましく、１．０ｍＰａ・ｓ以上３．０ｍＰａ・ｓ以下であることがさらに好ましい。インクの２５℃における表面張力は、４５ｍＮ／ｍ以下であることが好ましい。インクの表面張力が４５ｍＮ／ｍ超であると、記録媒体上でのインクの滲みが不十分となり、画像スジの抑制効果が低くなることがある。また、インクの２５℃における表面張力は、１５ｍＮ／ｍ以上であることが好ましく、２５ｍＮ／ｍ以上であることがさらに好ましい。インクの２５℃におけるｐＨは、５以上９以下であることが好ましい。
【実施例】
【００４９】
以下、実施例及び比較例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００５０】
＜顔料分散液の調製＞
（顔料分散液１）
水溶性樹脂であるスチレン／アクリル酸共重合体（組成（モル）比＝３３：６７）を中和当量１となる水酸化カリウムで中和してイオン交換水に溶解させ、樹脂の含有量が２０．０％である樹脂分散剤の水溶液を調製した。この水溶性樹脂の重量平均分子量は１０，０００であり、酸価は２００ｍｇＫＯＨ／ｇである。顔料（カーボンブラック）１５．０部、樹脂分散剤の水溶液３０．０部、及び水５５．０部の混合物をサンドグラインダーに入れ、１時間分散処理した。遠心分離処理して粗大粒子を除去した後、ポアサイズ３．０μｍのミクロフィルター（富士フイルム製）にて加圧ろ過した。次いで、適量のイオン交換水を加えて顔料分散液１を得た。得られた顔料分散液１中の顔料の含有量は１５．０％、樹脂分散剤の含有量は６．０％であった。
【００５１】
（顔料分散液２）
ＣＴＡＢ比表面積が１５０ｍ2／ｇ、ＤＢＰ吸油量１００ｍＬ／１００ｇのカーボンブラック９０ｇを２．５ｍｏｌ／Ｌの硫酸ナトリウム水溶液３０００ｍＬに添加し、温度６０℃、速度３００ｒｐｍで１０時間撹拌して酸化処理した。ろ過して得たカーボンブラックを水酸化ナトリウム水溶液で中和した後、限外ろ過した。水洗及び乾燥後、イオン交換水中に分散させて顔料分散液２を得た。得られた顔料分散液２中の顔料の含有量は１５．０％であった。
【００５２】
（顔料分散液３）
水溶性樹脂である（商品名「ジョンクリル６７」、ＢＡＳＦ製）を中和当量１となる水酸化カリウムで中和してイオン交換水に溶解させ、樹脂の含有量が２０．０％である樹脂分散剤の水溶液を調製した。この水溶性樹脂の重量平均分子量は１２，５００であり、酸価は２１５ｍｇＫＯＨ／ｇである。顔料（Ｃ．Ｉ．ピグメントブルー１５：３）１５．０部、樹脂分散剤の水溶液３０．０部、及び水５５．０部の混合物を、ジルコニアビーズを充填したビーズミルに入れ、１時間分散処理した。遠心分離処理して粗大粒子を除去した後、ポアサイズ３．０μｍのミクロフィルター（富士フイルム製）にて加圧ろ過した。次いで、適量のイオン交換水を加えて顔料分散液３を得た。得られた顔料分散液３中の顔料の含有量は１５．０％、樹脂分散剤の含有量は６．０％であった。
【００５３】
＜染料水溶液＞
Ｃ．Ｉ．ダイレクトブラック１９５の１５．０％水溶液を「染料水溶液」として用いた。
【００５４】
＜インクの調製＞
表１に示す各成分（単位：％）を混合して十分に撹拌した後、ポアサイズ１．２０μｍのセルロースアセテートフィルター（アドバンテック製）にて加圧ろ過し、各インクを調製した。調製したインクの２５℃における表面張力を表１に下段に示す。インクの表面張力は、自動表面張力計（商品名「ＣＢＶＰ−Ｚ型」、協和界面科学製）を使用し、２５℃、湿度５０％の環境下で測定した。表１中の「アセチレノールＥ１００」は、ノニオン性界面活性剤（川研ファインケミカル製）の商品名である。
【００５５】
2017217906.tif 000003
【００５６】
＜評価＞
（ヘッドの構成）
熱エネルギーを付与してインクを吐出させるサーマルインクジェット方式の下記ヘッド１〜５を用意した。ヘッド１〜５は、いずれも、ノズル列１列当たりのノズル数は５１２個、ノズル列１列当たりのノズル密度は６００ｄｐｉ、１ノズル当たりのインク吐出量は４ｎｇ、インク１色当たりのノズル列は２列である。
【００５７】
［ヘッド１］
図６に示すように、複数の記録素子基板Ｈ１１００が千鳥状に配置されたラインヘッドである。図８に示すように、ノズル列１列当たりの重複部ノズル２００の数は６４個である。
【００５８】
［ヘッド２］
図６に示すように、複数の記録素子基板Ｈ１１００が千鳥状に配置されたラインヘッドである。ノズル列１列当たりの重複部ノズルの数は０個である。
【００５９】
［ヘッド３］
図７に示すように、複数の記録素子基板Ｈ１１１０がインライン状に配置されたラインヘッドである。図９に示すように、ノズル列１列当たりの重複部ノズル２２０の数は１６個である。
【００６０】
［ヘッド４］
図７に示すように、複数の記録素子基板Ｈ１１１０がインライン状に配置されたラインヘッドである。ノズル列１列当たりの重複部ノズルの数は０個である。
【００６１】
［ヘッド５］
ヘッド１を構成する記録素子基板を利用したシリアルヘッドである。
【００６２】
ヘッド１〜５の構成を表２に示す。
【００６３】
2017217906.tif 000004
【００６４】
＜画像の記録＞
実施例１〜１３及び比較例１〜５の評価には、ラインヘッドであるヘッド１〜４をそれぞれ搭載した、図２に示す構成のインクジェット記録装置を利用した。ヘッドはインクジェット記録装置に固定されている。このインクジェット記録装置は、記録媒体の１回の走査により画像を記録する装置である。調製した各インクをそれぞれインク収容部に充填した後、ポンプを使用してヘッドへと送液した。この装置を使用し、１／６００インチ×１／６００インチの単位領域にインク滴を４滴付与する条件（記録デューティ１００％）で、８ｉｎｃｈ／ｓｅｃの速度で記録媒体を搬送し、ラインヘッド長尺方向１８ｃｍ×紙送り方向２ｃｍのベタ画像を記録した。
【００６５】
参考例１及び２の評価には、図２に示す構成のインクジェット記録装置のラインヘッドを、シリアルヘッドであるヘッド５に置き換えたこと以外は同様の構成としたインクジェット記録装置を利用した。このインクジェット記録装置は、記録ヘッドの１回の走査で記録媒体の単位領域の画像を記録する装置である。この装置を使用し、１／６００インチ×１／６００インチの単位領域にインク滴を４滴付与する条件（記録デューティ１００％）で、８ｉｎｃｈ／ｓｅｃの速度でヘッドを走査させ、ヘッドの走査方向２ｃｍ×紙送り方向１８ｃｍのベタ画像を記録した。
【００６６】
記録媒体としては、光沢紙（商品名「光沢ゴールド  ＧＬ−１０１」、キヤノン製）を用いた。また、インクの温度は、ラインヘッドのヒータにインクが吐出しない程度に通電し、ラインヘッドに設けたダイオードセンサで読み取ることで制御した。記録ヘッド、インク、並びにインクの平均温度Ｔｃ、Ｔｅ、及びＴｊの組み合わせを表３に示す。インクの平均温度Ｔｃ（℃）は、ノズル列の中心から「２５６個」の範囲内にある中央部ノズルから吐出されるインクの温度の平均値である。インクの平均温度Ｔｅ（℃）は、ノズル列を構成するノズルのうち、最端部に配置された端部ノズルから吐出されるインクの温度の平均値である。インクの平均温度Ｔｊ（℃）は、重複部ノズルから吐出されるインクの温度の平均値である。
【００６７】
＜画像スジの評価＞
記録したベタ画像の、ノズル列の不連続な箇所（つなぎ部）に対応する箇所を目視で確認し、以下に示す評価基準にしたがって画像スジを評価した。以下に示す評価基準で、「ＡＡＡ」、「ＡＡ」、「Ａ」及び「Ｂ」を許容できるレベル、「Ｃ」を許容できないレベルとした。結果を表３に示す。
ＡＡＡ：スジはほとんど目立たず、注意深く見ないとわからなかった。
ＡＡ：スジは僅かに視認できるが、ほとんど気にならなかった。
Ａ：スジは多少視認できるが、ほとんど気にならなかった。
Ｂ：スジは視認できるが、あまり気にならなかった。
Ｃ：スジが目立った。
【００６８】
2017217906.tif 000005
【図１】
2017217906.tif 000006
【図２】
2017217906.tif 000007
【図３】
2017217906.tif 000008
【図４】
2017217906.tif 000009
【図５】
2017217906.tif 000010
【図６】
2017217906.tif 000011
【図７】
2017217906.tif 000012
【図８】
2017217906.tif 000013
【図９】
2017217906.tif 000014